(57)【要約】【課題】  基準日時及び現地日時の両方を確認可能とし、また画像データファイルの整理の際、画像データを撮影した地域毎の整理を容易にする。【解決手段】  デジタルカメラ２は、撮影部１５，画像処理部１６，画像メモリ１７，操作部１８，世界時計機能部１９，メディアコントローラ２１，ディスプレイドライバ２２、ＬＣＤ３、ＥＥＰＲＯＭ２３と、システムコントローラ２５とからなる。世界時計機能部１９は、時計回路３０、基準日時設定部３１、現地日時設定部３２からなる。基準日時設定部３１は基準となる地域の基準日時を、現地日時設定部３２は、移動先の現地日時をそれぞれ設定する。システムコントローラ２５は、画像処理部１６で信号処理された解像度の高い画像データに、世界時計機能部１９から取り込まれた基準日時情報２６ｂ及び現地日時情報等２６ｃを付加して画像データファイルを作成する。【選択図】        図２
2005311700.tif 000002
【特許請求の範囲】
【請求項１】
基準地域における日付及び時刻の少なくとも一方を含む基準日時情報と、世界の複数の地域における日付及び時刻の少なくとも一方を含む現地日時情報とを出力できる時計手段を備え、被写体を撮影し、得られた画像データを、画像データファイルとして記憶媒体に記憶する世界時計機能付きカメラにおいて、
前記画像データファイルは、前記画像データに、この画像データを撮影したときの前記基準日時情報と、この画像データを撮影したときの前記現地日時情報、又は前記基準地域と前記世界の複数の地域との時差に関する時差情報とが付加されていることを特徴とする世界時計機能付きカメラ。
【請求項２】
画像を表示する画像表示手段を備えており、撮影時の前記基準日時情報と、前記現地日時情報又は前記時差情報とを前記画像表示手段に表示する請求項１記載の世界時計機能付きカメラ。
【請求項３】
前記現地日時情報又は前記時差情報が同じグループごとに、前記画像データファイルを管理、又は前記データファイルのファイル名を設定して記憶媒体に保存することを特徴とする請求項１又は２記載の世界時計機能付きカメラ。
【発明の詳細な説明】
【技術分野】
【０００１】
本発明は、世界の複数の地域における現地時刻を画像とともに記録したり、表示したりする世界時計機能付きカメラに関するものである。
【背景技術】
【０００２】
携帯型電子機器の中には、世界中の代表的な都市に移動したときにその移動先の現地時刻に合わせて時間を表示したり、その現地時刻を記録したりするいわゆる世界時計の機能を持つものが多く、例えば、特許文献１には、世界時計機能を持つ液晶表示装置をカメラに組み込んだものが記載されている。さらにこの特許文献１記載のカメラでは、地域を選択する地域選択手段と、任意の３桁のアルファベットを選択する選択手段などを備えており、移動先の都市の選択操作を容易に行うことを可能としている。
【０００３】
また、特許文献２には、世界時計機能をビデオカメラに内蔵し、さらに、絶対時刻データと位置データを算出するＧＰＳ受信手段を設けており、ＧＰＳ受信手段による位置データを基にして時差を算出し、さらにこの時差及び絶対時刻データから補正時刻を算出して、世界時計の時刻を補正している。
【０００４】
さらにまた、特許文献３には、移動先の地域で、日付や時刻などの計時情報を容易に修正して、現地の正確な計時情報を把握し、あるいは写真に写し込むことのできるデジタル時計、及びカメラ用データ写し込み装置などが記載されている。
【０００５】
【特許文献１】特開平５−２２３９６０号公報
【特許文献２】特開平９−２６４８９号公報
【特許文献３】特開２００１−２６４４６８号公報
【発明の開示】
【発明が解決しようとする課題】
【０００６】
しかしながら、海外旅行などで、上記特許文献１〜３に記載されているような世界時計機能を内蔵したカメラなどを持って、複数の地域を移動し、画像とともに日付や時刻などの日時情報を記録した場合、その日時情報が、基準となる出発国の基準日時情報なのか、移動先の現地日時情報なのか不明になることが多い。
【０００７】
また、デジタルカメラなどで撮影した画像とともに日時情報を画像データファイルとして記憶媒体に記録した場合、その画像データファイルを整理しようとしても、上記特許文献１〜３に記載されているものでは、その画像に写っている移動先の現地日時と、基準日時との時差などが分からなので、時差の異なる複数の地域を移動していると、時間の経過に沿った順序と、記録された日時情報による順序が異なるという状態が起こりうる。よってこのような場合、時系列ごとに画像を並べたりすることができず、画像データファイルを整理することが困難であった。さらにまた、上記特許文献１〜３では、複数の地域を移動した場合、国別、及び地域別などに画像を区別したりすることも考慮されておらず、画像データファイルの整理が非常に困難であった。
【０００８】
本発明は、画像データとともに記録された日時情報として、基準日時及び現地日時の両方を確認可能とし、また画像データファイルの整理の際、画像データを撮影した地域毎に区別をして、容易に整理することができる世界時計機能付きカメラを提供することを目的とする。
【課題を解決するための手段】
【０００９】
本発明の世界時計機能付きカメラは、基準地域における日付及び時刻の少なくとも一方を含む基準日時情報と、世界の複数の地域における日付及び時刻の少なくとも一方を含む現地日時情報とを出力できる時計手段を備え、被写体を撮影し、得られた画像データを、画像データファイルとして記憶媒体に記憶する世界時計機能付きカメラにおいて、前記画像データファイルは、前記画像データに、この画像データを撮影したときの前記基準日時情報と、この画像データを撮影したときの前記現地日時情報、又は前記基準地域と前記世界の複数の地域との時差に関する時差情報とが付加されていることを特徴とする。
【００１０】
なお、画像を表示する画像表示手段を備えており、撮影時の前記基準日時情報と、前記現地日時情報又は前記時差情報とを前記画像表示手段に表示することが好ましい。さらにまた、前記現地日時情報又は前記時差情報が同じグループごとに、前記画像データファイルを管理、又は前記データファイルのファイル名を設定して記憶媒体に保存することが好ましい。
【発明の効果】
【００１１】
本発明の世界時計付けカメラは、画像データとともに、この画像データを撮影したときの基準日時情報と、この画像データを撮影したときの現地日時情報、又は時差情報とから前記画像データファイルを構成しているので、基準日時及び現地日時の両方を確認することを可能とし、さらに全ての画像データに基準日時情報が付加されているので、画像データファイルを時系列順に容易に並べて整理することができる。
【００１２】
また、画像を表示する画像表示手段を備えており、撮影時の前記基準日時情報と、前記現地日時情報又は前記時差情報とを前記画像表示手段に表示しているので、日時情報を容易に認識することが可能であり、画像データファイルの整理をさらに容易にしている。
【００１３】
さらにまた、現地日時情報又は時差情報が同じグループごとに、画像データファイルを管理、又は前記データファイルのファイル名を設定して記憶媒体に保存しているので、画像データファイルの整理の際、画像データを撮影した地域毎に区別をして、容易に整理することができる
【発明を実施するための最良の形態】
【００１４】
本発明を適用したデジタルカメラを示す図２において、デジタルカメラ２の背面側には、液晶ディスプレイ（ＬＣＤ）３、及びカーソルボタン４、電源スイッチ６、決定ボタン７、キャンセルボタン８などが設けられており、上面には、レリーズボタン９、モードダイヤル１１などが設けらており、前面側には撮影レンズが組み込まれたレンズ鏡胴（図示せず）が設けられている。
【００１５】
図２にデジタルカメラ２の電気的構成を示す。デジタルカメラ２は、撮影部１５，画像処理部１６，画像メモリ１７，操作部１８，世界時計機能部１９，メディアコントローラ２１，ディスプレイドライバ２２、ＬＣＤ３、ＥＥＰＲＯＭ２３等の各部と、これらの動作制御を行うシステムコントローラ２５とから構成される。
【００１６】
撮影部１５は、撮影レンズ、イメージセンサ、Ａ／Ｄコンバータ等からなり、光学的な被写体像を光電変換し、さらにデジタル変換することで画像データが生成される。画像データは画像処理部１６に送られて所定のマトリクス演算、ホワイトバランス調節、ガンマ補正等の信号処理が行われる。
【００１７】
システムコントローラ２５は、画像処理部１６で信号処理された解像度の低い画像データに、世界時計機能部１９から取り込まれた基準日時情報及び現地日時情報等（後述）を含む撮影情報データを付加した表示画像データを作成して画像メモリ１７に送る。この画像メモリ１７に一時的に蓄積された表示画像データはディスプレイドライバ２２に送信される。ディスプレイドライバ２２は画像メモリから送られた表示画像データに基づいてＬＣＤ３にスルー画像を表示する。
【００１８】
一方、システムコントローラ２５は、画像処理部１６で信号処理された解像度の高い画像データ２６ａに、世界時計機能部１９から取り込まれた基準日時情報２６ｂ及び現地日時情報等２６ｃを含む撮影情報データ２６ｄとサムネイル画像データ２６ｅ等とを付加して画像データファイル２６（図３参照）を作成し、この画像データファイルをメディアコントローラ２１に送信する。システムコントローラ２５は、メディアコントローラ２１を駆動し、作成した画像データファイルをメモリカード２７に記憶する。
【００１９】
操作部１８は、カーソルボタン４、電源スイッチ６、決定ボタン７、キャンセルボタン８、レリーズボタン９、モードダイヤル１１などから構成される。システムコントローラ２５は、操作部１８から入力される信号に応じて、撮影動作やストロボ撮影モードの設定などの各種処理を行う。ＥＥＰＲＯＭ２３には、各種制御用のプログラムや設定情報などが記録されている。
【００２０】
世界時計機能部１９は、時計回路３０、基準日時設定部３１、現地日時設定部３２からなる。時計回路３０は、内蔵された電池により駆動して日時をカウントする。基準日時設定部３１は、時計回路３０でカウントされる日時に基づいて基準日時情報を設定する。この基準日時情報は、操作部１８からの入力によって基準となる地域の基準日時となるように修正され、その修正情報が時計回路３０に反映される。なお、本実施形態で述べる地域とは、世界中の各国を含む複数の主要な地域のことを指す。
【００２１】
現地日時設定部３２では、ユーザーが基準地域と時差のある地域に移動して撮影を行うときの現地日時を設定する。後述する地域選択操作によって移動先の地域が入力されるとシステムコントローラ２５が、その移動先地域と、基準地域との時差データをＥＥＰＲＯＭ２３から読み出して、現地日時設定部３２へ送信する。現地日時設定部３２は、入力された時差データ及び時計回路３０でカウントされる日時に基づいて、現地日時情報を設定する。この世界時計機能部１９で設定された基準日時情報及び現地日時情報は、上述したメディアコントローラ２１及びディスプレイドライバ２２に送れられる。
【００２２】
上記構成の作用について、図４〜７に示すフローチャートに沿って説明する。ユーザーは、デジタルカメラ２を使用するための準備として、モードダイヤル１１などを操作して日時設定モードとし、日時情報の設定を開始する。図４は日時設定モードのときのシーケンスを示す。日時設定モードでは、まず、図８に示すように、ＬＣＤ３に基準日時設定及び現地日時設定のいずれかを選択するダイアログ３５が表示され、ユーザーはカーソルボタン４を操作していずれか一方の位置に矩形枠状のカーソル３６を移動させ、選択したいほうにカーソルが位置したとき決定ボタン７を押圧してメニューを選択する。ユーザーが出発前の基準となる地域（本実施形態においては、この基準となる地域を「日本」として以下説明を進めていく。）にいるときには、基準日時設定を選択する。基準日時設定を選択すると、図９に示すように、ＬＣＤ３に、「日本」という基準地域表示３７と、現在の年・月・日・時・分・秒を示す基準日時情報３８が表示される。そしてユーザーはこれらのうち、修正したい位置にカーソル３９の位置を合わせて決定ボタン７を押圧し、さらにカーソルボタン４を押圧すると数字が変更されて修正が行われる。年・月・日・時・分・秒の全てが修正されると、基準日時設定が終了する。なお、この修正された基準日時情報は時計回路３０に送られ、この基準日時情報に合わせて時計回路３０で現在カウントされている日時が修正される。
【００２３】
一方、ユーザーが日本国外の地域に移動するときには、現地日時設定を選択する。現地日時設定を選択すると、図１０に示すように、ＬＣＤ３には、撮影場所となる移動先の地域をユーザーに問うダイアログ４０が表示される。
【００２４】
ダイアログ４０のデフォルトでは、プルダウンメニュー４１の一番上に基準地域である「日本」が表示され、その「日本」に対応した基準日時情報が現地日時情報４２として表示されている( 図１０（Ａ）に示す状態）。そしてその下には、世界中の主要な国を含む複数の地域名が設定されており、カーソルボタン４が押圧されると、それらの地域名が上下に移動する。移動先が日本国内のときには、プルダウンメニュー４１がデフォルトのまま決定ボタン７を押し、移動先が日本国外の地域であるときには、プルダウンメニュー４１の中から移動先の地域名を選択してカーソルボタン４を押し続け、その地域名が一番上に表示されたときに決定ボタン７を押す。なお、図１０では、移動先の地域としてフランスを選択している。
【００２５】
日本と時差がある地域が選択されてから決定ボタン７が押圧されると、ＥＥＰＲＯＭ２３に記憶された時差データが読み出される。なお、この時差データは、例えば日本とフランスとの時差が−８時間であることを示すデータであり、ＥＥＰＲＯＭ２３には、このような世界の主要な地域に対応する時差データが格納されている。そして読み出された時差データと、基準日時情報とから、現地日時情報を算出し、この算出された現地日時情報４３をＬＣＤ３に表示する（図１０（Ｂ）に示す状態）。これによって、現地日時情報の設定が終了する。
【００２６】
上述した日時設定モードの後さらに、標準及び現地日時情報の表示設定を変更するため、ユーザーは表示設定モードを選択する。このデジタルカメラ２での撮影時、及びメモリカード２７に記憶された画像の再生時には、図１１に示すように、画像４６とともに、上述した基準日時情報や現地日時情報を含む情報データが画像の下隅付近に表示されるが、表示設定モードでは、これらの表示設定の変更を行うことができる。図５は表示設定モードのシーケンスを示す。表示設定モードを選択すると、ＬＣＤ３には、基準日時を優先して表示するか、それとも現地日時を優先して表示するかを問うダイアログが表示される。
【００２７】
基準日時優先か、現地日時優先かを選択すると、ＬＣＤ３の画面が切り換わり、３つの表示方式（単一表示方式、日時情報同時表示方式、及び時差情報同時表示方式）から１つを選択するダイアログが表示される。ユーザーは表示方式を選択して決定ボタン７を押す。この表示方式の選択が行われると、表示設定モードが終了する。この表示設定モードで選択された選択内容の違いによって、ＬＣＤ３の表示は、図１１に示す状態になる。
【００２８】
図１１（Ａ）は、基準日時優先かつ単一表示方式を選択した場合で、基準日時情報５１のみが、ＬＣＤ３の画面右下隅に表示されている。図１１（Ｂ）は現地日時優先かつ単一表示方式を選択した場合で、現地日時情報５２のみが、ＬＣＤ３の画面右下隅に表示されている。なお、基準日時情報５１では、日付５１ａ、時刻５１ｂとともに基準地域（日本）を示す３桁のアルファベット５１ｃが表示されており、現地日時情報５２では、日付５２ｂ、時刻５２ｂ、及び現地（移動先の地域、図中ではフランスとなっている）を示す３桁のアルファベット５２ｃが表示されている。
【００２９】
図１１（Ｃ）は、基準日時優先かつ日時情報同時表示方式を選択した場合で、ＬＣＤ３の画面右下隅付近に標準及び現地日時情報５１，５２がともに表示されており、基準日時情報５１が上方に、現地日時情報５２が下方に位置している。図１１（Ｄ）は、現地日時優先かつ日時情報同時表示方式を選択した場合で、現地日時上方５２が上方に、基準日時情報５１が下方に位置している。
【００３０】
図１１（Ｅ）は、基準日時優先かつ時差情報同時表示方式を選択した場合で、ＬＣＤ３の画面右下隅付近に基準日時情報５１と、時差情報５３がともに表示され、基準日時情報５１が上方に、時差情報５３が下方に位置している。この場合の時差情報５３は、基準地域に対する現地（移動先の地域、図中ではフランス）の時差（−８時間）を表すものである。また図１１（Ｆ）は、現地日時優先かつ時差情報同時表示方式を選択した場合で、現地日時情報５２が上方に、時差情報が５４が下方に位置している。この場合の時差情報５４は、上述した時差情報５３とは異なり、現地に対する基準地域の時差（＋８時間）を表すものである。なお時差情報５３は時差５３ａと現地の地域を示す３桁のアルファベット５３ｂとから、時差情報５４は時差５４ａと基準地域を示す３桁のアルファベット５４ｂとからなる。
【００３１】
次に旅行などを終えて出発国に戻ったときは、現地日時初期化モードを選択して、現地日時情報を初期化する。図６は現地日時初期化モードのときのシーケンスを示す。この場合、先ずモードダイヤル１１などを操作して現地日時初期化モードにすると、初期化を行うか否かの問い合わせをするダイアログがＬＣＤ３に表示される。そして初期化を行うほうを選択して決定ボタン７を押圧すると、現地日時設定部３２の設定と、メモリカード２７に記憶された全ての画像データファイルの現地日時情報とが削除されるとともに、現地日時情報がＬＣＤ３の画面に表示されなくなる。
【００３２】
そして、移動先の地域でデジタルカメラ２を使用するときには、図７に示すシーケンスに沿って操作を行う。先ずは画像データファイル設定を行うため画像データファイル設定モードを選択する。そして画像データファイル設定モードが開始されると、ＬＣＤ３には、フォルダ別保存か、ファイル名保存かを選択するダイアログが表示される。フォルダ別保存を選択すると、メモリカード２７の記憶領域には、図１２に示すようなフォルダ構造が形成される。そしてこの場合、メモリカード２７には、現地の時差情報（基準地域に対する移動先の時差）を示す正負の符号７１ａ及び４桁の数字７１ｂからなる時差データ７１が名前に付加されたフォルダ７２ａが形成され、画像データファイル設定が終了する。この画像データファイル設定終了後、デジタルカメラ２で撮影された画像データは全て、フォルダ７２ａの中に画像データファイル７３として保存される。すなわち、この設定終了後、現地で撮影された画像データは全て画像データファイル７２ａの内部に整理された状態となる。なお、時差データ７１は、日本とフランスとの時差が−８時間であることを示す。
【００３３】
一方、画像データファイル設定モードでファイル名別保存を選択すると、図１３に示すように、時差データ７６が付加されたファイル名を持つ画像データファイル７７ａとなるように設定が変更され、画像データファイル設定が終了する。この画像データファイル設定終了後、デジタルカメラ２で撮影された画像データは、上述した設定のファイル名を持つ画像データファイル７７ａとして、メモリカード２７に記憶される。すなわち、この設定終了後に現地で撮影された画像データは全て、同じ時差データ７６が付加された画像データファイル名でメモリカード２７に記憶されることになる。なお、時差データ７６は、上述の時差データ７１と同様に日本とフランスとの時差が−８時間であることを示す。
【００３４】
撮影終了後には、フォルダ名や、ファイル名に情報を付加する入力メニューも設定されている。この入力メニューを選択することによって、時差データの他に移動先の地域名を示すアルファベット７５などが付加されたファイル名、フォルダ名( 図１２，１３参照）に修正することができる。この場合、例えば、フォルダ別保存では、フォルダ名が−８００から−８００ＦＲＡに修正（ＦＲＡは移動先「フランス」を示すアルファベット）することが可能であり、ファイル名別保存では、ファイル名が−８００……から−８００ＦＲＡ……に設定を修正することができる。
【００３５】
そして、１つの地域における撮影及び付加情報入力の終了後、ユーザーはまた別の地域へ移動する場合がある。このようなときは、再び画像データファイル設定モードとして、フォルダ別保存かファイル別保存かの選択をする。フォルダ別保存を選択すると、前の移動先の時差情報を示す時差データ７１が付加された名前を持つフォルダ７２ａとは別に、次の移動先の時差情報を示す時差データ７８が付加された名前を持つフォルダ７２ｂが形成される。そして、この地域で撮影を行ったときには、フォルダ７２ｂに画像データファイル７３が保存される。このようにして、１つの地域から別の地域、そしてそのまた別の地域へと移動する毎に移動先の時差情報を示す時差データが付加されたフォルダ７２ａ，ｂ，ｃ…を作成することが可能であり、それぞれの地域で撮影した画像データをそれらのフォルダ７２ａ，ｂ，ｃ…に記憶させることができる。
【００３６】
また、このときファイル名別保存を選択していると、次の移動先の時差情報を示す時差データ７９が付加されたファイル名が設定される。そして、この地域で撮影を行ったときには、この新しい時差データ７９が付加されたファイル名を持つ画像データファイル７７ｂとして、メモリカード２７に記憶される。このようにして、地域を移動する毎に、それぞれの移動先の時差データ７９が付加されたファイル名で画像データファイルがメモリカード２７に記憶されることになる。
【００３７】
このようにして、時差データが付加されたフォルダが移動先毎に作成され、それぞれのフォルダ内に画像データファイルが収納されていたり、時差データが付加された画像データファイル名で記憶されたりしているので、旅行の後などに、画像データファイルの整理が非常に容易であり、さらに入力メニューを実行することによって時差データとともに地域名を付加させることができるので、画像データファイルの地域別の整理を行うことが非常に容易である。さらに、画像データファイルには基準日時情報と現地日時情報とがともに記憶されているので、これらの画像データファイルを時系列毎に整理することも非常に容易である。
【００３８】
なお、上記実施形態においては、３桁のアルファベットで地域名を示す設定となっているが、文字数、文字の種類などこれに限るものではなく、地域名が認識できるものであればよい。また、上記実施形態においては、国名などの地域名を入力しているが、これに限らず、世界中の主要な都市名（東京、ニューヨーク他）などを入力するようにしてもよい。
【００３９】
上記実施形態においては、標準及び現地日時情報の入力の際に、ユーザーが操作部１８から全て入力しているが本発明はこれに限るものではない。以下では、現地日時情報の入力手段として、ＧＰＳ受信手段を用いたデジタルカメラ（図１４参照）の例を説明する。なお図１４においては、上記実施形態と同様の部品を用いているものについては同符号を付し、説明を省略する。
【００４０】
この図１４に示すデジタルカメラ８０に組み込まれる世界時計機能部８１は、時計回路３０、基準日時設定部８２、現地日時設定部８３、ＧＰＳ受信器８４からなる。ＧＰＳ受信手器８４は、衛星からの電波を受信して位置データ及び絶対時刻情報を算出する。この位置データ及び絶対時刻情報は基準日時設定部８２及び現地日時設定部８３に送られる。そして基準日時設定のときには、基準日時設定部８２へ送られてきた絶対時刻データ及び位置データから基準日時情報を算出するとともに、この算出された基準日時情報と時計回路３０でカウントされる時刻データとを比較して、時刻データの誤差を修正する。一方、現地日時設定のときには、現地日時設定部８３では、送られてきた位置データに対応する時差データをＥＥＰＲＯＭ８４から読み出す。そして、現地日時設定部８３は、基準日時情報と、時差データとから現地日時情報を算出する。このようにして上記実施形態と同様に基準日時情報及び現地日時情報を得ることが可能であり、さらにＧＰＳ受信器８４で絶対時刻データ及び位置データを受信するという入力操作だけでよいので、設定が非常に容易である。
【産業上の利用可能性】
【００４１】
本発明は、デジタルカメラの他に、カメラ付き携帯電話などデジタルカメラを内蔵する各種携帯型電子機器として利用される。
【図面の簡単な説明】
【００４２】
【図１】本発明を適用したデジタルカメラの背面側斜視図である。
【図２】本発明を適用したデジタルカメラの電気的構成を示すブロック図である。
【図３】画像データファイルの構成を示す説明図である。
【図４】日時設定モードのシーケンスを示すフローチャートである。
【図５】表示設定モードのシーケンスを示すフローチャートである。
【図６】現地日時初期化モードのシーケンスを示すフローチャートである。
【図７】移動先の地域でデジタルカメラを使用するときのシーケンスを示すフローチャートである。
【図８】日時設定モードにおける画面表示を示す平面図である。
【図９】基準日時設定を行うときの画面表示を示す平面図である。
【図１０】現地日時設定を行うときの画面表示を示す平面図である。
【図１１】各表示方式における画像及び日時情報の表示を示す平面図である。
【図１２】フォルダ別保存を行うときのメモリカード内の構造を示す説明図である。
【図１３】ファイル名別保存を行うときのメモリカード内の構造を示す説明図である。
【図１４】デジタルカメラにＧＰＳ受信器を設けた例を示すブロック図である。
【符号の説明】
【００４３】
２，８０  デジタルカメラ
３  液晶ディスプレイ
１５  撮影部
１９  世界時計機能部
２６，７３，７７ａ，７７ｂ  画像データファイル
２７  メモリカード
３０  時計回路
３１，８２  基準日時設定部
３２，８３  現地日時設定部
【図１】
2005311700.tif 000003
【図２】
2005311700.tif 000004
【図３】
2005311700.tif 000005
【図４】
2005311700.tif 000006
【図５】
2005311700.tif 000007
【図６】
2005311700.tif 000008
【図７】
2005311700.tif 000009
【図８】
2005311700.tif 000010
【図９】
2005311700.tif 000011
【図１０】
2005311700.tif 000012
【図１１】
2005311700.tif 000013
【図１２】
2005311700.tif 000014
【図１３】
2005311700.tif 000015
【図１４】
2005311700.tif 000016